(57)【要約】【課題】用途を文字や図柄で示す機能を持つ飲料カップを提供する。【解決手段】底の一部分が透明な円筒形のカップの真下に、回転可動する円筒形の土台を備え、前記土台の最上部表面と胴体周上に文字や図柄を表示し用途を示す構造とする。【選択図】図５
2016067864.tif 000002
【特許請求の範囲】
【請求項１】
底面の一部が透明な円筒形のカップの真下に、円筒形の土台を持つ飲料カップであり、前記カップと前記土台に存在する結合部は着脱自在な構造をなし回転可動するもので、前記土台の最上部表面と胴体の周上に、カップの用途を文字や図柄で示し、前記カップの使用方法を明確に使用者に伝えることを特徴とする、用途を文字や図柄で示す機能を備える飲料カップに関する。
【請求項２】
前記土台の最上部表面は任意の数に区分され、前記区分された部分に用途を示す文字や図柄がそれぞれ表示されていて、前記文字や図柄は、前記カップの底の透明部分から明確に見えることを特徴とする、請求項１に記載の用途を文字や図柄で示す機能を備える飲料カップに関する。
【請求項３】
前記カップと一体化された前記土台の内部は任意の数に区分されていて、前記区分された部分に引き出しが存在するもので、前記引き出しの前面に文字や図柄が表示されていることを特徴とする請求項１と２に記載の、用途を文字や図柄で示す機能を備える飲料カップに関する。
【請求項４】
前記飲料カップの使用者が、片方の手で取っ手を持ち、もう一方の手で前記土台を回転すると、前記土台の最上部表面の区分された部分に表示された用途を示す文字や図柄が、使用者の正面に位置する前記カップの底の透明部分に順番に現れることを特徴とする請求項１と２と３に記載の、用途を文字や図柄で示す機能を備える飲料カップに関する。
【請求項５】
前記カップの使用者が、片方の手で取っ手を持ち、もう一方の手で前記土台を回転すると、前記土台の胴体の周上（引き出しの前面）に存在するそれぞれの文字や図柄が、カップの使用者の正面に順番に現れることを特徴とする請求項１と２と３と４に記載の、用途を文字や図柄で示す機能を備える飲料カップに関する。
【請求項６】
前記カップには蓋が存在しており、前記蓋には薬を包装するＰＴＰから薬を取り出すための仕組みが存在していることを特徴とする請求項１と２と３と４と５に記載の、用途を文字や図柄で示す機能を備える飲料カップに関する。
【発明の詳細な説明】
【技術分野】
【０００１】飲料カップに関する。
【背景技術】
【０００２】従来より、多種多様なコップや飲料カップが存在する。
【先行技術文献】
【特許文献１】特許公開２００６−２７１９０５
【発明の概要】
【発明が解決しようとする課題】
【０００３】従来、特許文献１の様に本体に特殊な仕組みを持つコップが存在する。本発明者は、薬を飲むときに使用する薬専用の飲料カップがあれば望ましいと考えた。【０００４】薬は朝、昼、夜、又は朝と夜に服用するのが一般的である。しかしながら、多忙な人や記憶力の低下している人は薬の服用を忘れたり、一度飲んだことを忘れ再び飲む場合がある。その結果、事故や様々な問題が発生する。
【課題を解決するための手段】
【０００５】前記課題の解決手段として、「用途を文字や図柄で示す機能を備える飲料カップ」を提供する。前記飲料カップは、薬を収納する円筒形の土台と円筒形のカップを一体化したものであり、前記土台の最上部表面と胴体の周上（引き出しの前面）に薬の服用の有無と服用を指示する文字や図柄を表示する。【０００６】薬の服用者が前記飲料カップを使用する際に、前記カップの土台に存在する「薬の服用の有無と服用の指示等のメッセージ」を目で確認し、前記引き出しに収納されている薬を取り出して薬を服用する仕組みとすることでかかる課題を解決する。
【発明の効果】
【０００７】それでは、本発明の飲料カップの効果を記す。【０００８】薬は人により、朝飲むものと昼飲むものと夜飲むものが異なる場合がある。この様なとき、医師から与えられた薬をあらかじめ分別し、土台（図３）の引き出し（５０）の中に入れて置けば便利である。朝など忙しいときに素早く服用することができる効果がある。尚、引き出し（５０）には一週間分の薬が収納される。【０００９】ここから、飲料カップ（図５）の使用例として、朝、薬を服用する場合を説明する。取っ手（１０）を右手で持つと、最初に引き出し（５０）の前面に存在する「朝」と、「飲んだら回す」の文字と回す方向を示す「矢印」の図柄が目に入る。【００１０】さらにカップの底を見ると、透明部分（３０）に前記土台の最上部表面（５５）に存在する「夜飲んだよ」「朝の薬です」のメッセージが見える。飲料カップ（図５）はこの様に、薬の服用の有無と服用の指示を二カ所から発信する仕組になっている。【００１１】まず、引き出し（５０）の底に存在するストッパーを指で外し、引き出し（５０）を本体から引き出し、朝飲む薬を手に取り、引き出し（５０）を戻した後、前記カップに水を注ぐ。【００１２】前記土台の最上部表面（５５）に存在する文字は前記カップの中に水が入っていてもはっきり見える。薬を口の中に含み、メッセージを確認しながら水を飲む。薬を飲むときに「夜飲んだよ」「朝の薬です」。のメッセージを目で確認できるため、安心感が得られる。この効果は大きいと考える。【００１３】薬の服用後、取っ手（１０）を持ったまま「飲んだら回す」の指示と矢印に従い左手で前記土台（図３）を回すと、今度は昼の服用を指示するメッセージが前記カップの底（３０）に現れ、さらに「昼」の文字と「飲んだら回す」の文字と矢印が表示された引き出し（５０）が正面に現れる（図５に示す通り）。【００１４】前記引き出し（５０）の中には昼用の薬が入っている。この様に次に飲む薬の準備も指示してくれる仕組みは薬の服用者に大きな安心感を与えてくれる効果がある。【００１５】前記カップの底の透明部分（３０）から見える朝用・昼用・夜用の３通りのメッセージと、薬が入っている引き出し（５０）の前面に存在する朝・昼・夜のそれぞれの文字が、前記土台（図３）が回転することにより、使用者の正面に順番に現れる斬新な仕組みが本発明の最大の特徴である。この様な仕組みを持つ飲料カップは他に類を見ない。【００１６】薬を服用する者にとって「飲んだ？」「飲まなかった？」「薬は何処に置いた？」は常につきまとう不安である。本発明の飲料カップは、薬入れと飲料カップが一体化しているため管理しやすい便利さがある。【００１７】本発明者が前記飲料カップを食卓テーブルに置いて半年間使用した結果、食後に薬の服用を速やかに確実に実行することができた。薬と飲料カップが一体化している効果は大きいと考える。【００１８】カップを土台から外して洗浄を頻繁に行ったが、洗浄後に布巾で水分を拭き取る手間はかかるが面倒くささを感じる程ではない。又、薬の服用後、土台の回転を忘れたらどうするか？という課題を持つが、「飲んだら回す」の表示と回す方向を示す矢印の効果は大きく、「回し忘れ」は一度もなかった。「回す」習慣性が付く効果が現れた。【００１９】引き出し（５０）の中に、朝用と昼用と夜用の薬を分別して入れて置く効果は大きいと考える。なぜならば本発明の飲料カップは朝飲む薬と、昼飲む薬と、夜飲む薬を服用者に順番に正確に指示する仕組となっているからである。薬の飲み忘れと誤飲を防ぐ二つの効果が得られる。【００２０】本発明は飲料カップと薬入れが一体化しているのを特徴としている。よって、旅行や出張先、又、職場等に水のペットボトルと一緒に携帯して持ち歩くことが可能である。薬入れと飲料カップが一体化している効果は大きいと考える。【００２１】本発明は、特に持病を持つ人達に役に立つと考える。「てんかん」「心臓病」「発作」「脳の疾患」などの病気は薬の服用が必須である。薬を飲み忘れた結果、車の運転中に意識を失い、自分の命だけでなく他人の生命を奪ってしまう事故が相次いでいる。本発明者は、この様な痛ましい事故を防止するために役立つことを願っている。【００２２】尚、前記飲料カップは実施例１以外にも用途がある。たとえば、土台の天井を透明にし、引き出しの内部にキャラクターグッズ等を入れると、カップの底の透明部分に引き出しの中に入れた物が次々と現れるので、幼児などに喜ばれるおもしろ飲料カップになると考える。【００２３】又、文字表示部分を空白にしたものに、目的に応じたメッセージを書き込んだり、図柄やプリクラ写真等を貼り付けると、恋人や友人へのプレゼント、誕生日のお祝い、記念品等としての利用も考えられる。【００２４】従来にない斬新な仕組みを備える本発明の「用途を文字や図柄で示す機能を備える飲料カップ」は幅広い用途があると考える。
【図面の簡単な説明】
【００２５】図１は本体の中心部に嵌合部（凹）を持つ円筒形のカップの側面図である。【００２６】図２は底の透明部分と取っ手の位置を示す円筒形のカップの正面図である。【００２７】図３は本体の中心部に嵌合体（凸）と、本体内部に引き出しを持つ円筒形の土台の側面図である。【００２８】図４は本体の中心部に嵌合体（凸）と、本体内部に引き出しが存在する円筒形の土台の最上部表面の区分された状態を示す正面図である。【００２９】図５は円筒形の土台と円筒形のカップを結合した飲料カップの側面図である。【００３０】図６は、前面が三分の一円の形状をなす引き出しを示す正面図である。【００３１】図７は実施例２の側面図である。【００３２】図８は飲料カップの蓋の正面図である。【００３３】図９は飲料カップの蓋の側面図である。
【発明を実施するための形態】
【実施例】
【００３４】「用途を文字や図柄で示す機能を備える飲料カップ」の実施例として実施例１を紹介する。実施例１は薬を服用する時に飲料カップとして使用するもので、図１に示す円筒形のカップと、図３に示す円筒形の土台を結合したものである。【００３５】円筒形のカップ（図１）の寸法は直径８０ミリ、高さ５０ミリ、肉厚２ミリ、材質は樹脂性で透明である。本体の中心に円筒形の嵌合部凹（１５）が存在しており、嵌合部凹（１５）の外径は１４ミリ、内径１２ミリ、高さ１９ミリである。【００３６】円筒形の土台（図３）の寸法は直径８０ミリ、高さ４０ミリ、肉厚２ミリ、材質は樹脂性で白色である。前記土台（図３）の最上部の中心に円筒形の嵌合体凸（２０）を持つ。嵌合体凸（２０）の外径は１２ミリ、内径１０ミリ、高さ１８ミリである。【００３７】又、前記土台（図３）の内部は均等に３つに区分されており、区分した部分に樹脂製の引き出し（５０）が存在する。円筒形のカップ（図１）と円筒形の土台（図３）と引き出し（５０）は、あらかじめ射出成形機で製造してあるものとして取り扱う。【００３８】それでは、実施例１の製造行程を説明する。始めに、円筒形のカップ（図１）の底の外面を加工する。まず、底面の中心から放射状に線を引き均等に三区分する。前記区分した三分の二を塗りつぶす（４０）。これにより、三分の一が透明（３０）になる。図２に示す通りである。【００３９】次に、円筒形の土台（図３）の加工に移る。前記土台（図３）の最上部表面に、円の中心を起点とする線を放射状に三本引き、表面を均等に三つに区分（５５）する。前記放射状に引いた線はローマ字のＹを示す。図４に示す通りである。【００４０】前記区分した一つ目（５５）に「夜飲んだよ」「朝の薬です」と表示し、二つ目（５５）に「朝飲んだよ」「昼の薬です」と表示し、三つ目（５５）に「昼飲んだよ」「夜の薬です」と三種類のメッセージを表示する。【００４１】さらに、前記土台（図３・図６）に存在する引き出し（５０）の一つめの前面（表側）に「朝」の字を表示し、文字の下に「飲んだら回す」の文字と矢印を表示する。この様に二つめと三つの引き出しの前面（表側）に、それぞれ「昼」と「夜」の文字と矢印の図柄を表示する。尚、前記引き出しの前面は約三分の一円の形をなす（図６−５０）。【００４２】この後、前記嵌合部凹（１５）の先端と、前記嵌合体凸（２０）の先端に磁石（２５）を施設して加工の全行程は終了する。【００４３】最後に、円筒形の土台（図３）と円筒形のカップ（図１）の中心に存在する円筒形の嵌合凹部（１５）と円筒形の嵌合凸体（２０）を結合する。これで完成となる。前記結合部は磁石同士の吸引により結合を維持し回転可動する。円筒形のカップ（図１）と円筒形の土台（図３）を一体化したものを図５に示す。【００４４】ここから、実施例１の形態と仕組みを詳しく説明する。前記カップ（図２）の透明部分（３０）は、前記カップ（図２）の真下に存在する前記土台（図４）の最上部表面に表示されたメッセージ（５５）を見る部分である。【００４５】前記土台（図４）の最上部表面の区分した部分（５５）の形状と前記カップ（図２）の透明部分（３０）の形状は同じである。双方を重ね合わせると形状がほぼ一致する。これは絶対条件である。【００４６】なぜならば、前記土台（図４）を回転するときに前記三種類のメッセージ（５５）をひとつひとつ移動させながら、順番に前記カップ（図２）の底の透明部分（３０）から明確に見えるようにしなければならないからだ。【００４７】ここで、前記カップに存在する取っ手（１０）と透明部分（３０）の位置を示す図２と、取っ手（１０）の位置と引き出し（５０）の位置を示す図５を見比べる。【００４８】すると、取っ手（１０）を持ったときに、前記カップの透明部分（３０）に現れるメッセージ（５５）と、引き出し（図５−５０）の前面に表示された文字や図柄が前記カップの使用者の正面になるのが理解できる。【００４９】この仕組みとすることで、薬を服用するときが朝、昼、夜であること、薬の服用の有無を明確に使用者に伝え、薬の飲み忘れと誤飲を防ぐ効果を生むのである。【００５０】尚、引き出し（５０）には服用する薬を収納するが、実施例１は目安として一週間分程度収納することを想定した。前記引き出し（５０）は任意の大きさにすることが可能である。【００５１】ここで、引き出し（５０）が常に使用者の正面に位置する仕組みについて説明する。引き出し（５０）は前記土台の内部（図３）に３個存在するが、図６に示す正面図の通り、引き出し（５０）の底の形状（５０）は前記土台の最上部表面が区分された部分（５５）とほぼ同じであり、さらに図２の前記カップの底の透明部分（３０）の形状とほぼ同じである。３者は同じ形状が望ましい。【００５２】その理由を述べる。図４を見ると、前記土台の最上部表面の３つに区分している境界線はローマ字の「Ｙ」を示す。この状態を示すことで前記カップ（図２）の透明部分（３０）に前記土台（図４）の最上部表面（５５）に存在するメッセージが次々と現れる仕組みとなっている。この時、前記土台に存在する引き出し（５０）の一つは、カップの使用者に対し正面に位置する（図５に示すとおり）。【００５３】何故ならば、前記Ｙの字の「Ｖ」を支える縦の部分「Ｉ」が、引き出し（図６−５０）の中心の頭上に位置する様に引き出しを（５０）配置したからである。残りの引き出し（５０）も正面に現れるとき同じ状態を示す。本発明者は何度も試作を重ね改良を繰り返しこの仕組みに到達した。この仕組みが本発明の核となる部分である。【００５４】実施例１の特徴をもう一つ紹介する。飲料カップは常に衛生を保つ必要がある。そのため本体を洗浄しなければならない。しかし、前記カップ（図１）と前記土台（図３）の結合部分と引き出し（５０）は防水処理をすることが難しい部分である。【００５５】そこで本発明者は、結合部分（１５と２０）を着脱自在にし、前記カップ（図１）を前記土台（図３）から外して洗浄する方法を採用した。結合部分（１５と２０）は磁石同士の吸引力により結合されているので容易に着脱できるため洗浄は簡単である。尚、薬を収納する引き出し（５０）は引き出しの底部にストッパーを設け、幼児が簡単に引き出すことができない仕組みとした。前記ストッパーは大人が引き出せる構造とした。【００５６】又、前記カップには蓋（図８・図９に示す）が用意される。前記蓋の中央に、薬の包装（ＰＴＰ）から薬を取り出すための仕組みが存在する。【００５７】その仕組みを説明する。薬を包装しているＰＴＰには通常１０個程度薬が存在する。前記薬は個別にするため、あらかじめハサミで切り離されて引き出し（５０）に収納される。はじめに、引き出し（５０）から服用する薬を取り出す。【００５８】次に、前記カップに蓋（７０）を嵌め、摘み（７６）を引き上げる。すると、薬の包装（ＰＴＰ）を乗せる台座（７２）が現れる。前記台座（７２）に単体のＰＴＰを乗せ、摘み（７６）を元に戻すと、凸部（７４）がＰＴＰの上部に圧力を加えるため、薬が押し出されカップの中に落ちる。この様な仕掛けとなっている。【００５９】薬は前記カップの中に収まるため床に落とす事はない。指の力が低下した人には便利なものと考える。尚、前記ＰＴＰ内に存在する薬は形状と大きさが異なるものがある。この場合、図９に示す（８２）の調整板で台座（７２）のサイズを調整する。【００６０】次に、実施例２を紹介する。まず、空洞の筒の片方の開口部にメッセージを表示した円板の文字表示体を接着し、筒の胴体の周上に、朝、昼、夜の文字と「飲んだら回す」の文字と矢印を表示する。実施例２は、前記筒の内部に底の一部分が透明をなす、円筒形のカップを結合するタイプである。実施例１を簡素化したものである。【００６１】実施例１と２以外に、土台の最上部に液晶画面体を施設し、文字のメッセージを電池を電源とする電子回路で制御する手段もあるが高価になる弱点がある。【００６２】薬の服用は朝と夜または一日一度の場合がある。この場合、前記土台の最上部表面のメッセージと土台の胴体の周上に表示する文字を薬の服用回数に合わせて表示すればよい。尚、本実施例は文字の表示手段の説明は省略した。【００６３】前記メッセージの内容は限定するものではない。又、カップ、土台、引き出し、嵌合体の材質と形状とサイズと色は限定するものではない。結合部分の嵌合手段、前記カップの底の透明部分の面積も限定するものではない。結合部にずれを防止する装置を施してもよい。
【符号の説明】１０取っ手  １５円筒形の嵌合部（凹）  ２０円筒形の嵌合体（凸）  ２５磁石  ３０透明部分  ４０塗りつぶし部分  ５０文字や図柄を表示した引き出し  ５５文字表示部分  ６０胴体の周上と底面に文字と図柄を持つ筒  ７０蓋  ７２薬の包装（ＰＴＰ）を乗せる台座  ７４薬の包装（ＰＴＰ）の上面を押す凸部  ７６蓋の摘み  ７８蓋のずれを防ぐ足  ８０摘みのストッパー  ８２ＰＴＰのサイズに対応する調整板
【図１】
2016067864.tif 000003
【図２】
2016067864.tif 000004
【図３】
2016067864.tif 000005
【図４】
2016067864.tif 000006
【図５】
2016067864.tif 000007
【図６】
2016067864.tif 000008
【図７】
2016067864.tif 000009
【図８】
2016067864.tif 000010
【図９】
2016067864.tif 000011